(57)【要約】【課題】シールドボックス内における検査対象の配置位置を正確に位置決めでき、測定の再現性を高めることができるシールドボックスを提供すること。【解決手段】内部に測定用アンテナが設けられ、検査対象である無線端末を収納するシールドボックスであって、内部には、前記検査対象を一定位置に載置するためのホルダが、測定用アンテナとの相対位置関係をあらかじめ設定された複数の位置に変更可能な位置決め機構を介して取り付けられていることを特徴とするもの。【選択図】                    図１
2007178415.tif 000002
【特許請求の範囲】
【請求項１】
内部に測定用アンテナが設けられ、検査対象である無線端末を収納するシールドボックスであって、
内部には、前記検査対象を一定位置に載置するためのホルダが、測定用アンテナとの相対位置関係をあらかじめ設定された複数の位置に変更可能な位置決め機構を介して取り付けられていることを特徴とするシールドボックス。
【請求項２】
前記ホルダの位置決め機構は、シールドボックス側に固定されている弾性部材よりなる位置決め部材と相互に嵌め合う凹凸部で構成されていることを特徴とする請求項１記載のシールドボックス。
【請求項３】
前記ホルダの平面には、検査対象の配置位置を一義的に設定するＬ字形のストッパが設けられていることを特徴とする請求項１記載のシールドボックス。
【請求項４】
前記ホルダのストッパで規定される区画には、滑り止め用シートが貼り付けられていることを特徴とする請求項３記載のシールドボックス。
【請求項５】
前記測定用アンテナは、その取付位置を、あらかじめ設定された複数の任意の位置に外部から変更操作できるように構成されていることを特徴とする請求項１から請求項４のいずれかに記載のシールドボックス。
【請求項６】
前記ストッパの短辺内壁は、断面の上辺が下辺よりも長い斜面として形成されていることを特徴とする請求項３に記載のシールドボックス。
【発明の詳細な説明】
【技術分野】
【０００１】
本発明は、携帯電話機や無線ＩＤタグ読取装置などの小型無線端末類の送受信機能検査に用いる電磁波のシールドボックスに関し、詳しくは、ボックス内に収納配置される検査対象の位置決め構造に関するものである。
【背景技術】
【０００２】
近年の携帯電話や無線ＩＤタグなどの普及に伴い、携帯電話機を販売する店頭や多数の無線ＩＤタグ読取装置を用いる現場などにおいて、これら無線端末類の送受信をはじめとする各種の簡易動作機能確認試験を求められる機会が増加しつつある。
【０００３】
図４は従来のシールドボックスの一例を示す構成図であり、蓋を外した状態を示している。図４において、シールドボックス１の内部には、検査対象２である携帯電話機などが載置されるプレート３が設けられている。このプレート３の下部には、検査対象２のアンテナとの間でエア結合により試験電波を授受するための測定用アンテナが配置されているが図示しない。
【０００４】
シールドボックス１と蓋は高周波電磁界に対して遮蔽効果を有する金属で形成されていて、これらシールドボックス１と蓋の内壁全面には電波吸収体が貼り付けられている。プレート３は電磁波を透過させる素材で形成されている。
【０００５】
シールドボックス１の一方の側面には、高周波コネクタ４，５や、外部接続端子６，７が設けられている。高周波コネクタ４は検査対象２が高周波端子を備えている場合のケーブル接続用であり、高周波コネクタ５は検査対象２が高周波端子を備えていない場合のアンテナ用である。外部接続端子６は、検査対象２に電源を供給したり、消費電流を測定するときに用いる。外部接続端子７は、検査対象２と図示しない外部機器とをＵＳＢ接続するためのものである。
【０００６】
このように構成されたシールドボックス１は、高周波端子を備えていない検査対象２の送受信アンテナならびに測定用アンテナから電波が送信されて近隣の基地局に影響を与えることを防止するとともに、これらアンテナが近隣の基地局からの電波や雑音等の不要電波を受信してしまうことを防止し、さらに、これらアンテナから送信された電波が近接する建物等に当たって反射波を生じることも防止するものであり、高価な電波暗室に代わるものとして用いられる。
【０００７】
【特許文献１】特許３６７３３３８号
【発明の開示】
【発明が解決しようとする課題】
【０００８】
ところで、従来のこのような装置では、高周波端子を備えていない検査対象２をプレート３上の任意の位置に配置して測定するように構成されていた。
【０００９】
このため、検査対象２のアンテナとプレート３の下部に配置されている測定用アンテナとの位置関係が定まらず、検査対象２の配置位置によって測定結果がばらつくことがあり、測定の再現が困難であるという問題があった。
【００１０】
本発明は、このような従来の問題点に着目したものであり、その目的は、シールドボックス内における検査対象の配置位置を正確に位置決めでき、測定の再現性を高めることができるシールドボックスを提供することにある。
【課題を解決するための手段】
【００１１】
このような課題を達成するために、請求項１の発明は、
内部に測定用アンテナが設けられ、検査対象である無線端末を収納するシールドボックスであって、
内部には、前記検査対象を一定位置に載置するためのホルダが、測定用アンテナとの相対位置関係をあらかじめ設定された複数の位置に変更可能な位置決め機構を介して取り付けられていることを特徴とする。
【００１２】
請求項２の発明は、請求項１記載のシールドボックスにおいて、
前記ホルダの位置決め機構は、シールドボックス側に固定されている弾性部材よりなる位置決め部材と相互に嵌め合う凹凸部で構成されていることを特徴とする。
【００１３】
請求項３の発明は、請求項１記載のシールドボックスにおいて、
前記ホルダの平面には、検査対象の配置位置を一義的に設定するＬ字形のストッパが設けられていることを特徴とする。
【００１４】
請求項４の発明は、請求項３記載のシールドボックスにおいて、
前記ホルダのストッパで規定される区画には、滑り止め用シートが貼り付けられていることを特徴とする。
【００１５】
請求項５の発明は、請求項１から請求項４のいずれかに記載のシールドボックスにおいて、
前記測定用アンテナは、その取付位置を、あらかじめ設定された複数の任意の位置に外部から変更操作できるように構成されていることを特徴とする。
【００１６】
請求項６の発明は、請求項３に記載のシールドボックスにおいて、
前記ストッパの短辺内壁は、断面の上辺が下辺よりも長い斜面として形成されていることを特徴とする。
【発明の効果】
【００１７】
請求項１から請求項５の発明によれば、測定時における測定用アンテナと検査対象のアンテナとの相対位置関係を正確に把握再現することができ、測定の再現性を高めることができるシールドボックスが実現できる。
【００１８】
請求項６の発明によれば、検査対象をその端部がストッパの短辺内壁斜面に当接するようにホルダの平面に載置することにより、折畳み形の検査対象が折畳みヒンジ部分を支点にして回動することを防止でき、測定の再現性を高めることができる安定な配置状態が実現できる。
【発明を実施するための最良の形態】
【００１９】
以下、本発明について図面を用いて説明する。図１は本発明の一実施例を示す構成図、図２はその主要部の構成図であり、図４と共通する部分には同一符号を付けている。図１において、検査対象２は、ホルダ８を介してプレート３に配置されている。
【００２０】
ホルダ８は、合成樹脂(例えばポリカーボネイト)でほぼ矩形に形成されている。ホルダ８の一方の長辺には、位置決め用の凹部９が複数個長手方向に沿って形成されていて、これら凹部９近傍には凹部９の位置を示す複数の目盛線ａ〜ｄが設けられている。これら凹部９の延長方向にはホルダ８を長手方向に沿って移動させるためのつまみ１０が設けられている。ホルダ８の平面には他方の長辺に沿うようにしてＬ字形に形成されたストッパ１１が設けられている。このストッパ１１の長辺と短辺で規定される区画には、検査対象２との接触面間に大きな摩擦力を生じて検査対象２を安定に保持するように、滑り止め用シート１２が貼り付けられている。検査対象２のホルダ８に対する配置位置は、図１に示すように検査対象２の一角をこのストッパ１１の内角に押し付けることによって一義的に決定される。
【００２１】
ホルダ８は、位置決め用の凹部９に嵌め合うように凸部が形成された弾性部材１３を有する位置決め部材１４と、他方の長辺をフランジ部分で摺動可能にガイドするようにプレート３に固着されたガイド部材１５，１６を介して、プレート３に対して移動可能に半固定される。なおプレート３には、位置決め部材１４およびガイド部材１５，１６をホルダ８の短辺方向にずらした位置に取り付けるための取付穴も設けられていて、図１および図２ではガイド部材１５，１６を取り付けるための取付穴１７，１８を示している。また位置決め部材１４には弾性部材１３の凸部の位置を示す目盛線ｅが設けられている。
【００２２】
このような構成において、ホルダ８の位置決め用の凹部９とこの位置決め用の凹部９に嵌め合うように凸部が形成された弾性部材１３を有する位置決め部材１４の相対的な位置関係は、検査対象２の一角をホルダ８のストッパ１１の内角に押し付けることによって一義的に決定される所定の測定位置に配置固定される検査対象２について最適な測定結果が得られるように、実測値に基づいてあらかじめ設定されている。
【００２３】
具体的な測定にあたり、ホルダ８の初期位置を、凹部９の位置を示す目盛線例えばｃが位置決め部材１４の目盛線ｅと一致するように設定する。この状態で、検査対象２を、その一角をストッパ１１の内角に押し付けるようにして配置する。そして図示しない蓋を閉め、送信出力や受信感度などの所定の測定を行う。
【００２４】
測定結果が所定の規格を満たす場合は良品と判断する。測定結果が規格を満たさない場合には、つまみ１０をつまんでホルダ８を移動させて凹部９の位置を示すｃ以外の目盛線を位置決め部材１４の目盛線ｅと一致させ、プレート３下部の測定用アンテナと検査対象２のアンテナとの相対位置を変更して測定を繰り返す。ホルダ８の位置を目盛線ａ〜ｄに基づき4ヶ所変更しても測定結果が規格を満たさない場合は、プレート３に対するホルダ８の取付位置を短辺方向にずらした状態でホルダ８の位置を目盛線ａ〜ｄに基づき4ヶ所変更して測定を行う。なお測定結果としては、これらプレート３に対するホルダ８の取付位置と、位置決め部材１４の目盛線ｅに対するホルダ８の目盛線ａ〜ｄの位置も記録しておく。
【００２５】
これにより、測定時における測定用アンテナと検査対象のアンテナとの相対位置関係を正確に把握再現することができ、検査対象について安定した測定が行えるとともに、同一検査対象に対する測定の再現性を高めることができる。
【００２６】
なお、上記実施例では、ホルダ８の長辺に複数の凹部９を設けて位置決め部材１４にこれら凹部９に嵌め合う凸部が形成された弾性部材１３を設ける例を示したが、凹凸の組み合わせは反対であってもよい。
【００２７】
また、プレート３下部に設けられている測定用アンテナの取付位置を、あらかじめ設定された複数の任意の位置に外部から変更操作できるように構成してもよい。
【００２８】
これにより、測定時における測定用アンテナと検査対象のアンテナとの相対位置関係をさらに細かく設定することができる。
【００２９】
ところで、折畳み形携帯電話機には、ホルダ８との接触面が密着としないように表面にザラザラ感を持たせるように加工されたものがある。図２の構成において、このような携帯電話機を検査対象とすると、ホルダ８のストッパ１１で規定される区画には滑り止め用シート１２が貼り付けられているにもかかわらず、ホルダ８との接触面と滑り止め用シート１２との間の摩擦力が小さくなることから、携帯電話機は折畳みヒンジ部分を支点にして回動するおそれがある。この結果、測定用アンテナと携帯電話機のアンテナとの位置関係が不安定になってしまい、正確な測定が行えなくなる。
【００３０】
このような問題点は、図３のように構成することで解決できる。図３において、Ｌ字形に形成されたストッパ１１の高さは、折畳み形の携帯電話機２を開いた状態での厚さよりも高くなるように形成されている。そして、このストッパ１１の短辺１１ａの内壁１１ｂは、断面の上辺が下辺よりも長い斜面として形成されている。
【００３１】
このような構成において、折畳み形携帯電話機２の測定に当たっては、その端部２ａがストッパ１１の短辺１１ａの内壁１１ｂに形成された斜面に当接するように、ホルダ８の平面に載置する。
【００３２】
この結果、折畳み形携帯電話機２が折畳みヒンジ部分２ｂを支点にして回動しようとしても、折畳み形携帯電話機２の端部２ａがストッパ１１の短辺１１ａの内壁１１ｂに形成された斜面に当接していることによって回動は阻止され、折畳み形携帯電話機２のホルダ８との接触面がホルダ８に密着した安定な配置状態が維持される。
【００３３】
これにより、ホルダ８との接触面が密着としないように表面にザラザラ感を持たせるように加工された折畳み形携帯電話機を検査対象とする場合であっても、測定の再現性を高めることができる安定な配置状態が実現できる。
【００３４】
以上説明したように、本発明によれば、測定時における測定用アンテナと検査対象のアンテナとの相対位置関係を正確に把握再現することができ、高周波端子を備えていない携帯電話機や各種無線端末類の検査対象の測定に好適である。
【図面の簡単な説明】
【００３５】
【図１】本発明の一実施例を示す構成図である。
【図２】図１の主要部の具体例を示す構成図である。
【図３】図１の主要部の他の具体例を示す構成図である。
【図４】従来のシールドボックスの一例を示す構成図である。
【符号の説明】
【００３６】
１  シールドボックス
２  検査対象
３  プレート
４，５  高周波コネクタ
６，７  外部接続端子
８  ホルダ
９  凹部
１０  つまみ
１１  ストッパ
１２  滑り止め用シート
１３  弾性部材
１４  位置決め部材
１５，１６  ガイド部材
１７，１８  取付穴
【図１】
2007178415.tif 000003
【図２】
2007178415.tif 000004
【図３】
2007178415.tif 000005
【図４】
2007178415.tif 000006